(57)【要約】【課題】効率の低下を抑制できる圧縮機を提供する。【解決手段】ファンと、ファンを収容するケーシングと、ケーシング内に設けられて、ファンを囲って配置された熱交換器６０と、を備え、熱交換器６０は、互いの面同士が対向して周方向に連続して配列された複数のフィン１７と、複数のフィン１７を通過し、周方向に沿って延びて設けられた複数の冷媒配管と、を備え、複数の冷媒配管は、周方向のうちの一方向である第一周方向３３Ａへと冷媒を流す第一管路と、第一周方向３３Ａと反対方向の第二周方向３３Ｂへと冷媒を流す第二管路と、を有し、第一管路の始点には、熱交換器６０の外部から冷媒を第一周方向３３Ａに向かって導入する第一冷媒入口３６Ａが設けられ、第二管路の始点には、熱交換器６０の外部から冷媒を第二周方向３３Ｂに向かって導入する第二冷媒入口３６Ｂが設けられている。【選択図】図３
2019066058.tif 000002
【特許請求の範囲】
【請求項１】
軸線回りに回転することで空気を送風するファンと、
前記ファンを収容するとともに前記軸線方向の一方向に向かって開口した箱状のケーシングと、
前記ケーシング内に設けられて、前記開口の周方向に延びて前記ファンを囲って配置された熱交換器と、を備え、
前記熱交換器は、
互いの面同士が対向して前記周方向に配列された複数のフィンと、
前記複数のフィンを通過し、前記周方向に沿って延びて設けられた複数の冷媒配管と、を備え、
前記複数の冷媒配管は、
前記周方向のうちの一方向である第一周方向へと冷媒を流す第一管路と、
前記第一周方向と反対方向の第二周方向へと冷媒を流す第二管路と、を有し、
前記第一管路の始点には、前記熱交換器の外部から冷媒を前記第一周方向に向かって導入する第一冷媒入口が設けられ、
前記第二管路の始点には、前記熱交換器の外部から冷媒を前記第二周方向に向かって導入する第二冷媒入口が設けられた室内ユニット。
【請求項２】
前記熱交換器が、前記周方向の全周にわたって連続して延びている請求項１に記載の室内ユニット。
【請求項３】
前記第一管路と前記第二管路とが、対応する数量設けられている請求項１又は２に記載の室内ユニット。
【請求項４】
前記熱交換器内での前記第一管路と前記第二管路の各管路数の前記軸線方向における分布が、一様である請求項３に記載の室内ユニット。
【請求項５】
前記熱交換器内で、前記第一管路が前記軸線方向の前記ケーシングの底面側に偏在し、前記第二管路が前記軸線方向の前記ケーシングの開口側に偏在して設けられ、
かつ、前記第二管路を構成する冷媒配管の本数が、前記第一管路を構成する冷媒配管の本数より多い、請求項１又は２に記載の室内ユニット。
【請求項６】
請求項１から請求項５のいずれか一項に記載の室内ユニットを備えた空気調和機。
【発明の詳細な説明】
【技術分野】
【０００１】
本発明は、室内ユニット、及びこれを備えた空気調和機に関する。
【背景技術】
【０００２】
空気調和機として、天井埋め込み型の室内ユニットを有するものが知られている。このような室内ユニットは、天井に埋め込まれるとともに室内に向けて開口した箱型のケーシング内に、ファン部及びファン部を取り囲むようにして設けられた熱交換器と、を備えている。
熱交換機内の冷媒流通管及びこれを流通する冷媒は、運転時の熱交換により、冷媒の流れる方向に向かうにしたがって、冷房時には昇温、暖房時には降温することとなる。このため、熱交換器の場所によって温度が偏り、ファンにより吸い込まれた空気が熱交換器を通過する場所によって熱交換量のばらつきが生じる。その結果、室内ユニットの冷温風の吹出し口は多くの場合、ケーシングの周縁部に周方向に複数設けられていることから、各吹出し口の位置によって吹出す空気に温度差が生じることがある。
【０００３】
上記の空気の温度差を低減するために、熱交換器内の冷媒流路を工夫することにより、ケーシングの開口の周方向における熱交換器全体での温度をより均一にする技術が知られている。
このような室内ユニットの一例として特許文献１には、複数に分割された熱交換器内に、ファンの回転軸方向、即ち上下方向に冷媒を流通させる空気調和機の室内ユニットが開示されている。
【先行技術文献】
【特許文献】
【０００４】
【特許文献１】特開２００８−２５６３０５号公報
【発明の概要】
【発明が解決しようとする課題】
【０００５】
ところで、上記特許文献１に記載された室内ユニットでは以下の問題が生じていた。即ち、熱交換器の分割に伴う冷媒の分岐及び合流のための配管が多く必要であるため、構造が複雑となり、室内ユニットの容積が増大する場合があった。
【０００６】
そこで本発明は、簡素な構成としながらも、吹き出し箇所の違いによる温度むらの少ない冷温風の送風が可能な空気調和機を提供する。
【課題を解決するための手段】
【０００７】
本発明は、上記課題を解決するため、以下の手段を採用している。
即ち、本発明の一態様に係る室内ユニットは、軸線回りに回転することで空気を送風するファンと、前記ファンを収容するとともに前記軸線方向の一方向に向かって開口した箱状のケーシングと、前記ケーシング内に設けられて、前記開口の周方向に延びて前記ファンを囲って配置された熱交換器と、を備え、前記熱交換器は、互いの面同士が対向して前記周方向に配列された複数のフィンと、前記複数のフィンを通過し、前記周方向に沿って延びて設けられた複数の冷媒配管と、を備え、前記複数の冷媒配管は、前記周方向のうちの一方向である第一周方向へと冷媒を流す第一管路と、前記第一周方向と反対方向の第二周方向へと冷媒を流す第二管路と、を有し、前記第一管路の始点には、前記熱交換器の外部から冷媒を前記第一周方向に向かって導入する第一冷媒入口が設けられ、前記第二管路の始点には、前記熱交換器の外部から冷媒を前記第二周方向に向かって導入する第二冷媒入口が設けられている。
【０００８】
この構成によれば、前記熱交換器内で、前記第一管路を冷媒が流通するときは、前記第一周方向に向かうにしたがって冷媒の温度が冷房運転時は昇温、暖房運転時は降温する。一方、前記第二管路を冷媒が流通するときは、前記第二周方向に向かうにしたがって冷媒の温度が冷房運転時は昇温、暖房運転時は降温する。これにより、第一管路と第二管路で逆方向に冷媒が昇温又は降温し、互いに温度の勾配を打ち消し合うこととなり、前記熱交換器全体の周方向における温度の偏りが平準化され、熱交換量も周方向でより均一となる。
【０００９】
また、前記熱交換器が、前記周方向の全周にわたって連続して延びていてもよい。
【００１０】
この構成によれば、単一の前記熱交換器で前記ケーシング内の前記周方向の全周にわたって熱交換を行うことができるため、該熱交換器が分割して配置されている場合に比べて少ない構成となり、前記室内ユニットをよりコンパクトなものとすることができる。
【００１１】
また、上記の室内ユニットは、前記第一管路と前記第二管路とが、対応する数量設けられていてもよい。
【００１２】
この構成によれば、前記第一周方向に冷媒が流通することによって生じる前記第一周方向における熱交換器の温度勾配を打ち消すのに適した数だけ、第二管路を設けることができる。これにより、前記熱交換器全体での、前記周方向における熱交換量を、より一層均一なものとすることができる。
【００１３】
また、上記の室内ユニットは、前記熱交換器内での前記第一管路と前記第二管路の各管路数の前記軸線方向における分布が、一様であってもよい。
【００１４】
この構成によれば、前記熱交換器全体での、周方向だけでなく軸線方向における温度の偏りをも均一なものとすることができる。これにより熱交換器を通過する軸線方向の位置によって風量がばらついている場合における熱交換量のばらつきをも低減させることができる。
【００１５】
また、上記の室内ユニットは、前記熱交換器内で、前記第一管路が前記軸線方向の前記ケーシングの底面側に偏在し、前記第二管路が前記軸線方向の前記ケーシングの開口側に偏在して設けられ、かつ、前記第二管路を構成する冷媒配管の本数が、前記第一管路を構成する冷媒配管の本数より多くともよい。
【００１６】
この構成によれば、第一管路と第二管路がそれぞれ集中的に設けられているため、冷媒を管路に分配するための配管をより簡素なものとすることができる。また、ファンの構造と吹き出し口の構造によって、ケーシングの開口側における風量が、底面側よりも少なくなることがあるが、風量が少ない位置に設けられた第二管路の熱交換量を、風量が多い位置に設けられた第一管路の熱交換量に近づけることができる。これによって、熱交換器全体での、周方向だけでなく軸線方向における温度の偏りをも、均一なものとすることができる。
【００１７】
また、本発明の一態様に係る空気調和機は、上記のいずれかの室内ユニットを有する。
【発明の効果】
【００１８】
本発明の室内ユニット、及びこれを備えた空気調和機によれば、簡素な構成としながらも、吹き出し箇所の違いによる温度むらのない冷温風の送風が可能となる。
【図面の簡単な説明】
【００１９】
【図１】本発明の第一実施形態に係る空気調和機の全体を示す模式図である。
【図２】本発明の第一実施形態に係る空気調和機の室内ユニットの断面図である。
【図３】本発明の第一実施形態に係る熱交換器を模式的に示す斜視図である。
【図４】本発明の第一実施形態に係る熱交換器の図３におけるＡ−Ａ断面の断面図である。
【図５】本発明の第一実施形態に係る熱交換器の図３におけるＢ−Ｂ断面の断面図である。
【図６】本発明の第二実施形態に係る熱交換器の図３におけるＡ−Ａ断面の断面図に相当する図である。
【図７】本発明の第二実施形態に係る熱交換器の図３におけるＢ−Ｂ断面の断面図に相当する図である。
【図８】本発明の第二実施形態に係る熱交換器の要部の図６におけるＸ矢視図である。
【図９】本発明の第二実施形態に係る熱交換器の要部の図６におけるＹ矢視図である。
【図１０】本発明の第三実施形態に係る熱交換器要部の図６におけるＸ矢視図に相当する図である。
【図１１】本発明の第三実施形態に係る熱交換器の要部の図６におけるＹ矢視図に相当する図である。
【発明を実施するための形態】
【００２０】
[第一実施形態]
以下、本発明の第一実施形態について図面を参照して詳細に説明する。
図１に示す実施形態の空気調和機１００は、室内ユニット２００と室外機２とを有している。これら室内ユニット２００と室外機２とは冷媒回路３により接続されて冷媒を授受する。室外機２は圧縮機４と室外熱交換器５を備えており、冷媒を圧縮するとともに、冷媒授受の動力源として機能する。そして後述する室内機の熱交換器６０が蒸発器として機能する。
【００２１】
図２に示すように、空気調和機１００の室内ユニット２００は、天井に埋め込まれたケーシング７、ケーシング７内に設けられたファン部８、このファン部８を取り囲むように設けられた熱交換器６０と、を有している。
ケーシング７は、室内に向かって例えば四角形に開口した箱状である。本実施形態では、ケーシング７にはその開口を覆うように化粧板１１が設置されている。化粧板１１の中央部はエアフィルター１２が設けられており、室内空気の吸込み口６として機能する。
化粧板１１は、ケーシング７に設置されることで開口のすべてを覆わずにスリット状の隙間を開口の周縁部に複数形成する。このスリット状の隙間は、本実施形態では、四角形の各四辺に対応する箇所に、計四つ設けられている。これらスリット状の隙間は、吸込み口６から吸い込まれ、熱交換器６０を通過し、室内に向けて吹出される空気の吹出し口１３として機能する。
【００２２】
ファン部８は、ターボファン１４と、ターボファン１４に軸線Ｏ回りに回転力を与えて駆動させるモータ１５と、ターボファン１４に空気を誘導するベルマウス１６と、を有する。ベルマウス１６の開口径は、室内側に向かうにしたがって拡大している。ベルマウス１６の開口径はエアフィルター１２の径と同程度となっており、ベルマウス１６の室内に向かっての開口をエアフィルター１２が覆っている。
【００２３】
図３に示すように、熱交換器６０は、ファン部８を囲うように、ケーシング７の開口の周方向全周に渡って延びて設けられている。このとき、この一つの熱交換器６０がケーシング７の隅の形状に合わせて同じ方向に三回屈曲することで、軸線Ｏ方向に見たとき一部分を欠く正方形をなすように設けられている。これにより、本実施形態では熱交換器６０の長手方向（屈曲されることで周方向となる）の両終端部がケーシング７の四隅のうちの一つに相当する位置に配置される。
熱交換器６０は、開口の周方向に向かって平行に延びる複数の冷媒配管と、長方形の金属板である複数のフィン１７からなる。このフィン１７を貫通するようにして、冷媒配管が設けられている。冷媒配管の周りを通過する空気、冷媒配管の内部の冷媒との間での熱交換が行われる。フィン１７は互いの面が正対するように連続して等間隔に配列されており、冷媒配管同士の熱の伝導体となるとともに、フィン１７自体も空気と熱交換を行う。なお、詳細を省略して図示している熱交換器６０の屈曲部２０では、冷媒配管も屈曲しており、それに伴い隣り合うフィン１７同士は正対していない。
【００２４】
本実施形態では、冷媒配管は、ファン部側配管列３０と、ケーシング側配管列４０の計二列を形成して互いに等間隔に配置されている。各列中の配管の数は、図中では簡単のため６本としているが、１０〜２０本以上としてもよい。各列は、冷媒配管同士の間隔を互いに埋めるように、互いに軸線Ｏ方向に半間隔分だけずれて平行に配置されている。
【００２５】
ここで、本実施形態では、冷媒配管は、二種類の管路で構成されている。即ち、図４に示すように、熱交換に供される前の冷媒を、熱交換器６０に導入する際に周方向の第一周方向３３Ａ（例えばモータ１５回転方向）に向かって流通させる第一管路３４Ａと、図５に示すように、熱交換に供される前の冷媒を第一周方向の逆方向である第二周方向３３Ｂに向かって流通させる第二管路３４Ｂとで構成されている。
【００２６】
図３に示すように、熱交換器６０の両終端部のうち一方の端部には、軸線Ｏ方向を上下としたときの、各配管列の最上段の配管から一つおきに冷媒配管の端部が露出している。この露出している端部のうち、ケーシング側配管列４０の冷媒配管の端部が、第一管路３４Ａの始点である第一冷媒入口３６Ａとなっており、一方、ファン部側配管列３０の冷媒配管の端部は、第一冷媒出口３７Ａとなっている。熱交換器６０の両終端部のうち、この終端部を熱交換器第一終端部３８Ａとする。第一冷媒入口３６Ａから第一管路３４Ａへ送り込まれた熱交換に供される前の冷媒は、熱交換を行いながら第一周方向３３Ａに流れ、三回の屈曲を経て、もう一方の熱交換器６０の終端部である熱交換器第二周端部３８Ｂに到達し、第一管路３４Ａを終える。その後ヘアピン管２９を経て、第一管路復路３５Ａを流通し、熱交換器第一終端部３８Ａへと戻され、第一冷媒出口３７Ａから熱交換器６０の外部へと冷媒が導かれる。
【００２７】
熱交換器第二終端部３８Ｂには、ケーシング７の深さ方向を上としたときの、各配管列の上から二番目の配管から一つおきに冷媒配管の端部が露出している。この露出している端部のうち、ケーシング側配管列４０の冷媒配管の端部が、第二管路３４Ｂの始点である第二冷媒入口３６Ｂとなっており、一方、ファン部側配管列３０の冷媒配管の端部は、第二冷媒出口３７Ｂとなっている。第二冷媒入口３６Ｂから第二管路３４Ｂへ送り込まれた熱交換に供される前の冷媒は、熱交換を行いながら第一周方向３３Ａの反対方向の第二周方向３３Ｂに流れ、三回の屈曲を経て、熱交換器第一終端部３８Ａに到達し、第二管路３４Ｂを終える。その後ヘアピン管２９を経て、第二管路復路３５Ｂを流通し、再び熱交換器第二終端部３８Ｂへと戻され、第二冷媒出口３７Ｂから熱交換器６０の外部へと導かれる。
上記構成とすることで、本実施形態における熱交換器６０では、ケーシング側配管列４０については第一管路３４Ａと第二管路３４Ｂが軸線Ｏ方向で交互に配置され、ファン部側配管列３０については第一管路復路３５Ａと第二管路復路３５Ｂが軸線Ｏ方向で交互に配置されることとなる。
【００２８】
上記構成の室内ユニット１及びこれを備えた空気調和機１００では、熱交換に供される前の冷媒が、熱交換器６０に導入される際に、最初に第一周方向３３Ａに流れる第一管路３４Ａと、第二周方向３３Ｂに流れる第二管路３４Ｂの双方に分配される。
熱交換器６０内で、第一管路３４Ａを冷媒が流通するときは、第一周方向３３Ａに向かうにしたがって冷媒の温度が冷房運転時は昇温、暖房運転時は降温する。一方、第二管路３４Ｂを冷媒が流通するときは、第二周方向３３Ｂに向かうにしたがって冷媒の温度が冷房運転時は昇温、暖房運転時は降温する。このため第一管路３４Ａと第二管路３４Ｂとで逆方向に冷媒が昇温又は降温し、互いに温度の勾配を打ち消し合うこととなり、熱交換器６０の周方向における温度の偏りが平準化され、結果として、熱交換器６０全体で、その周方向での熱交換量が平準化される。これにより、冷温風の吹き出し箇所による温度のむらが低減できる。
【００２９】
また、上記構成の室内ユニット１及びこれを備えた空気調和機１００における熱交換器６０では、ケーシング側配管列４０については第一管路３４Ａと第二管路３４Ｂとが軸線Ｏ方向で交互に配置され、ファン部側配管列３０については第一管路復路３５Ａと第二管路復路３５Ｂとが軸線Ｏ方向で交互に配置されている。
この配置は、第一管路３４Ａと第二管路３４Ｂとの各管路数が、対応する数量、即ち同等となっていることを意味する。これにより、第一周方向３３Ａに冷媒が流通することによって生じる第一周方向３３Ａにおける温度勾配を打ち消すのに適した数だけ、第二管路３４Ｂを設けることができる。従って、熱交換器６０全体での、周方向における熱交換量を、より一層均一なものとすることができる。
上記の配置はまた、熱交換器６０内での第一管路３４Ａと第二管路３４Ｂの各管路数の軸線Ｏ方向における分布が、一様であることを意味する。これにより、熱交換器６０全体での、周方向だけでなく軸線Ｏ方向における温度の偏りをも均一なものとすることができる。これにより、熱交換器６０を通過する軸線Ｏ方向の位置によって風量がばらついている場合における熱交換量のばらつきをも低減させることができ、熱交換量が周方向で平準化されやすくなる。
加えて、各々のフィン１７について着目した場合、第一管路３４Ａと第二管路３４Ｂの双方が均一の分布で貫通することとなるため、フィン１７の温度分布もより均一なものとなる。これにより、熱交換器全体での温度を軸線Ｏ方向についてもより均一なものとすることができる。
【００３０】
さらに、本実施形態においては、熱交換器６０はケーシング７の周方向の全周に渡って屈曲しながら延びており、熱交換器６０の終端部は二箇所のみである。このため、管の分岐と合流の構造が複雑とならず、簡単な構成でありながら、ケーシング７の周方向で熱交換量を平準化することができる。
【００３１】
[第二実施形態]
次に第二実施形態について図６から図９を参照して説明する。第二実施形態では第一実施形態と同様の構成要素には同一の符号を付して詳細な説明を省略する。
第二実施形態は、熱交換器６１の構成が第一実施形態と相違する。本実施形態では、ファン部側配管列３１とケーシング側配管列４１の中央に、それら配管列と同数の配管本数を持つ中央部配管列５１が設けられている。
【００３２】
本実施形態では、中央部配管列５１が、第一実施形態における第一管路復路３５Ａ及び第二管路復路３５Ｂとして機能する。第一実施形態では、第一管路復路３５Ａ及び第二管路復路３５Ｂの終点が第一冷媒出口３７Ａ及び第二冷媒出口３７Ｂであったが、本実施形態では、第一管路復路３５Ａ及び第二管路復路３５Ｂの終点がさらにヘアピン管２９に接続され、ファン部側配管列３０が第一管路延長往路３９Ａ及び第二管路延長往路３９Ｂで構成されている。
【００３３】
これに伴い、本実施形態では、図８に示すように、熱交換器第一終端部１３８Ａには、ケーシング側配管列４１の最上段の配管から一つおきに第一冷媒入口３６Ａが露出し、ファン部側配管列３１の最上段から二番目の配管から一つおきに第二冷媒出口３７Ｂが露出している。また、熱交換器第一終端部１３８Ａでは、ケーシング側配管列４１の最上段から二番目の配管から一つおきの配管の端部と、中央部配管列５１の最上段の配管から二番目の配管から一つおきの配管がヘアピン管２９によって接続されており、一方、ファン部側配管列３１の最上段から一つ置きの配管の端部と、中央部配管列５１の最上段の配管から一つおきの配管がヘアピン管２９によって接続されている。
同様に、図９に示すように、熱交換器第二終端部１３８Ｂでは、ケーシング側配管列４１の最上段の配管から一つおきの配管の端部と、中央部配管列５１の最上段の配管から一つおきの配管がヘアピン管２９によって接続されており、一方、ファン部側配管列３１の最上段から二番目の配管から一つおきの配管の端部と、中央部配管列５１の最上段から二番目の配管から一つおきの配管がヘアピン管２９によって接続されている。
【００３４】
上記構成の室内ユニット２０１及びこれを備えた空気調和機１０１における熱交換器６１では、ケーシング側配管列４１については第一管路３４Ａと第二管路３４Ｂとが軸線Ｏ方向で交互に配置され、中央部配管列５１については第一管路復路３５Ａと第二管路復路３５Ｂとが軸線Ｏ方向で交互に配置され、ファン部側配管列３１については、第一管路延長往路３９Ａと第二管路延長往路３９Ｂとが軸線Ｏ方向で交互に配置されることなる。  
上記構成の室内ユニット１及びこれを備えた空気調和機１０１では、大きな熱交換量の必要性から、熱交換器６１における冷媒配管の列を三列とした場合であっても、第一実施形態での説明で述べたのと同様の理由により、熱交換器６１全体での温度を均一なものとすることができる。これにより、周方向における熱交換量を、より一層均一なものとすることができ、冷温風の吹出し箇所による温度のむらが低減できる。
【００３５】
[第三実施形態]
次に第三実施形態について図１０及び図１１を参照して説明する。第三実施形態では第一実施形態と同様の構成要素には同一の符号を付して詳細な説明を省略する。
第三実施形態は、熱交換器６２の構成が第一実施形態と相違する。本実施形態では、熱交換器６２内で、第一管路３４Ａが軸線Ｏ方向のケーシング７の底面側に偏在し、第二管路３４Ｂが軸線Ｏ方向のケーシング７の開口側に偏在して設けられている。
さらに、第二管路３４Ｂを構成する冷媒配管の本数が、第一管路３４Ａを構成する冷媒配管の本数より多い。
【００３６】
上記構成の室内ユニット２０２及びこれを備えた空気調和機１０２では、第一管路３４Ａと第二管路３４Ｂがそれぞれ集中的に設けられているため、冷媒を管路に分配するための配管がより簡素なものとすることができる。
ここで、このような配管の配置とするとき、ファン部８の構造と吹出し口１３の構造によっては、ケーシング７の開口側における風量が、底面側よりも少ない場合がある。そうすると、配管一本当たりの熱交換量が、開口側よりも底面側で大きくなる。つまり、上記構成の場合、第一管路３４Ａを構成する配管の一本当たりの熱交換量が大きくなる。
【００３７】
しかしながら、この場合でも、第二管路３４Ｂを構成する冷媒配管の本数が、第一管路３４Ａを構成する冷媒配管の本数より多いため、熱交換量を第一管路３４Ａと第二管路３４Ｂの総計として同等とすることができる。これによって、熱交換器６２全体での熱交換量を、より均一なものとすることができ、冷温風の吹き出し箇所による温度のむらが低減できる。
【００３８】
上記の本発明の第一から第三の各実施形態では、各管路の配置の順番を、ファン部８側から順に、第一管路延長往路３９Ａ及び第二管路延長往路３９Ｂ（第二実施形態のみ）、第一管路復路３５Ａ及び第二管路復路３５Ｂ、第一管路３４Ａ及び第二管路３４Ｂの順とした。これにより、空気が上記の順に通過することとなるため、空気は、より長い間熱交換に供された冷媒を流通させる冷媒配管から順に接触することとなる。従って、とくに冷房運転時には空気の降温が緩慢となるため、結露が起こりにくくなる。この効果は、第二実施形態で特に強く示される。
【００３９】
以上、本発明の第一実施形態について図面を参照して詳述したが、具体的な構成はこの実施の形態に限られるものではなく、本発明の要旨を逸脱しない範囲の設計変更等も含まれる。
なお、本発明の実施形態では、冷媒配管は、ファン部側配管列と、ケーシング側配管列の計二列及び三列としたが、四列以上であってもよい。
また第一実施形態及び第二実施形態では、第一管路３４Ａ及び第二管路３４Ｂが軸線Ｏ方向に交互に配置されているが、例えば複数本ずつが交互に配置されていてもよい。
【００４０】
また、本発明の第一及び第二実施形態においては、第一管路３４Ａと第二管路３４Ｂの各管路数は、同等であるとした。ここでいう同等の数とは、本発明の要旨を逸脱しない範囲の設計事項として同数であるとみなすことのできる程度、例えば第一管路３４Ａと第二管路３４Ｂとが１〜２本異なっている場合を含む。
また、第三実施形態では、一例として上下に偏在して第一管路３４Ａ及び第二管路３４Ｂを設けたが、軸線Ｏ方向での熱交換量が均一となるように、第一管路３４Ａ及び第二管路３４Ｂとを適宜配置変更してもよい。
また、熱交換器も一体ではなく、周方向に複数に分割されていてもよい。
【符号の説明】
【００４１】
１００、１０１、１０２  空気調和機               
２００、２０１、２０２  室内ユニット             
２  室外機                
３  冷媒回路               
４  圧縮機                 
５  室外機熱交換器  
６  吸込み口         
６０、６１、６２  熱交換器         
７  ケーシング              
８  ファン部         
１１  化粧板               
１２  エアフィルター       
１３  吹出し口            
１４  ターボファン        
１５  モータ             
１６  ベルマウス          
１７、１８、１９  フィン               
２０、２１  屈曲部                
３０、３１、３２  ファン部側配管列       
４０、４１、４２  ケーシング側配管列     
５１  中央部配管列        
３３Ａ  第一周方向        
３３Ｂ  第二周方向        
３４Ａ  第一管路          
３４Ｂ  第二管路          
３５Ａ  第一管路復路             
３５Ｂ  第二管路復路             
３６Ａ  第一冷媒入口             
３６Ｂ  第二冷媒入口             
３７Ａ  第一冷媒出口             
３７Ｂ  第二冷媒出口             
３８Ａ、１３８Ａ  熱交換器第一終端部     
３８Ｂ、１３８Ｂ  熱交換器第二終端部     
３９Ａ  第一管路延長往路   
３９Ｂ  第二管路延長往路   
２９  ヘアピン管            
Ｏ  軸線                    
【図１】
2019066058.tif 000003
【図２】
2019066058.tif 000004
【図３】
2019066058.tif 000005
【図４】
2019066058.tif 000006
【図５】
2019066058.tif 000007
【図６】
2019066058.tif 000008
【図７】
2019066058.tif 000009
【図８】
2019066058.tif 000010
【図９】
2019066058.tif 000011
【図１０】
2019066058.tif 000012
【図１１】
2019066058.tif 000013